(57)【要約】【課題】本発明は、偏光フィルムのブラックモードを検査することができる偏光フィルム検査装置に関する。【解決手段】本発明の一実施形態による偏光フィルム検査装置は、光を発生する光源と、透過軸が垂直になるよう相互に交差した偏光フィルムに光源から発生した光を照射する照射部と、照射部の反対側から偏光フィルムを撮影する撮影部と、光源から発生した光を照射部に伝達する光伝達部材と、光源と光伝達部材とを、及び光伝達部材と照射部とをそれぞれ連通する連通部と、連通部に設けられ、光源で発生した光から赤外線領域及び紫外線領域のうち少なくとも一を遮断する波長遮断フィルタとを備える。【選択図】図１
2014130348.tif 000002
【特許請求の範囲】
【請求項１】
光を発生する光源と、
透過軸が垂直になるよう相互に交差した偏光フィルムに前記光源から発生した光を照射する照射部と、
前記照射部の反対側から前記偏光フィルムを撮影する撮影部と、
前記光源から発生した光を前記照射部に伝達する光伝達部材と、
前記光源と前記光伝達部材とを、及び前記光伝達部材と前記照射部とをそれぞれ連通する連通部と、
前記連通部に設けられ、前記光源で発生した光から赤外線領域及び紫外線領域のうち少なくとも一を遮断する波長遮断フィルタと
を備える、偏光フィルム検査装置。
【請求項２】
前記光伝達部材は光ファイバであり、前記連通部は光ファイバアダプタである、請求項１に記載の偏光フィルム検査装置。
【請求項３】
前記連通部は、前記光源と前記光伝達部材の一端とを連通する第１の連通部と、前記光伝達部材の他端と前記照射部とを連通する第２の連通部とを備え、前記波長遮断フィルタは、前記第１の連通部に設けられ、前記光源で発生した光から赤外線領域及び紫外線領域のうちいずれか一を遮断する第１の波長遮断フィルタと、前記第２の連通部に設けられ、前記光源で発生した光から赤外線領域及び紫外線領域のうち他の一を遮断する第２の波長遮断フィルタとを備える、請求項１に記載の偏光フィルム検査装置。
【請求項４】
前記撮影部は赤外線遮断フィルタを備え、前記波長遮断フィルタは前記光源で発生した光から紫外線領域を遮断する、請求項１に記載の偏光フィルム検査装置。
【発明の詳細な説明】
【技術分野】
【０００１】
本発明は、偏光フィルム検査装置に関するものであり、より詳しくは、偏光フィルムのブラックモードを検査することができる偏光フィルム検査装置に関するものである。
【背景技術】
【０００２】
偏光フィルムは、光を特定の方向に偏光するためのものである。偏光フィルムは、例えば、液晶表示装置（ＬＣＤ）において液晶セルの両面に粘着されて液晶パネルを形成するために用いられる。理論上、偏光フィルムは、２枚の偏光フィルムを直交するように重ねたとき（すなわち、２枚の偏光フィルムの透過軸が互いに垂直になるように重ねたとき）、偏光フィルムを通過する光があってはならない。この場合、偏光フィルムを撮影した映像は光が遮断されて黒く表示され、これを偏光フィルムのブラックモード（Ｂｌａｃｋ  Ｍｏｄｅ）という。
【０００３】
一般的に、偏光フィルムのブラックモード状態は、一側に設けられた光源から直交するように重ねた２枚の偏光フィルムに光を照射し、他側に設けられたカメラで偏光フィルムを撮影して検査することになる。ところが、光源から照射される光には、可視光線のみならず赤外線及び紫外線も含まれており、偏光フィルムのブラックモードを撮影した映像が黒く表示されず白く表示されるとう問題点がある。
【０００４】
すなわち、偏光フィルムは、一般的に可視光線領域の光を偏光するように製造される。従って、光源から照射される光に赤外線及び紫外線が含まれていると、２枚の偏光フィルムを直交するように重ねても赤外線及び紫外線領域の光は遮断されずに通過することになる。これによって偏光フィルムのブラックモードを撮影した映像が白く表示されるようになる。この場合、偏光フィルムのブラックモードそのものを検査することができず、偏光フィルムのブラックモードによって偏光フィルムに存在する欠陥を検出することもできないという問題点がある。
【０００５】
具体的には、偏光フィルムのブラックモード状態では理論的に光が偏光フィルムを通過することができないため、偏光フィルムを撮影した映像全体が黒く表示されるべきであるが、偏光フィルムを製造する過程において偏光フィルムに欠陥（例えば、染料の不均一な染着、接着不良、表面スクラッチ、異物など）が存在する場合、光を１００％遮断することができないため、偏光フィルムを撮影した映像に明度差が発生するようになる。ところが、偏光フィルムのブラックモードを撮影した映像そのものが白く表示される場合には、このような偏光フィルムの欠陥を検出することができなくなる。
【発明の概要】
【発明が解決しようとする課題】
【０００６】
本発明は、偏光フィルムのブラックモードを検査することができる偏光フィルム検査装置を提供することを目的とする。
【課題を解決するための手段】
【０００７】
１．本発明の一実施形態による偏光フィルム検査装置は、光を発生する光源と、透過軸が垂直になるよう相互に交差した偏光フィルムに前記光源から発生した光を照射する照射部と、前記照射部の反対側から前記偏光フィルムを撮影する撮影部と、前記光源から発生した光を前記照射部に伝達する光伝達部材と、前記光源と前記光伝達部材とを、及び前記光伝達部材と前記照射部とをそれぞれ連通する連通部と、前記連通部に設けられ、前記光源で発生した光から赤外線領域及び紫外線領域のうち少なくとも一を遮断する波長遮断フィルタとを備える。
【０００８】
２．前記項目１において、前記光伝達部材は光ファイバであり、前記連通部は光ファイバアダプタであることを特徴とする。
【０００９】
３．前記項目１において、前記連通部は、前記光源と前記光伝達部材の一端とを連通する第１の連通部と、前記光伝達部材の他端と前記照射部とを連通する第２の連通部とを備え、前記波長遮断フィルタは、前記第１の連通部に設けられ、前記光源で発生した光から赤外線領域及び紫外線領域のうちいずれか一を遮断する第１の波長遮断フィルタと、前記第２の連通部に設けられ、前記光源で発生した光から赤外線領域及び紫外線領域のうち他の一を遮断する第２の波長遮断フィルタとを備える。
【００１０】
４．前記項目１において、前記撮影部は赤外線遮断フィルタを備え、前記波長遮断フィルタは前記光源で発生した光から紫外線領域を遮断する。
【発明の効果】
【００１１】
本発明の実施形態によれば、波長遮断フィルタによって光源で発生した光から赤外線及び紫外線領域を遮断することにより、偏光フィルムを撮影する映像が黒く表示されるようにでき、それにより撮影映像によって偏光フィルムのブラックモードを検査できるようになる。そのとき、偏光フィルムに欠陥が存在すると、撮影映像において欠陥が存在する部分に明度差が発生するため、偏光フィルムの欠陥有無を容易に検出できるようになる。
【図面の簡単な説明】
【００１２】
【図１】本発明の一実施形態による偏光フィルム検査装置を示した図である。
【図２】本発明の一実施形態による偏光フィルム検査装置において、波長遮断フィルタを適用した場合と適用しない場合との撮影映像を比較した図である。
【発明を実施するための形態】
【００１３】
以下、図１及び図２を参照して、本発明の偏光フィルム検査装置の具体的な実施形態を説明する。しかしながら、これらは例示としての実施形態に過ぎず、本発明はこれらに制限されるものではない。
【００１４】
本発明の説明にあたって、本発明に関わる公知技術に関する具体的な説明が、本発明の要旨を不要に逸脱し得ると判断される場合は、その詳細な説明を省略する。そして後述する用語は、本発明における機能を考慮して定義された用語であり、これらは使用者、運用者の意図、又は慣例などによって変わり得る。従って、その定義は本明細書の全般にわたって記載された内容に基づいて定義されるべきである。
【００１５】
本発明の技術的思想は、特許請求の範囲の記載により定められ、以下の実施形態は、進歩的な本発明の技術的思想を本発明が属する技術分野における通常の知識を有する者に対して効率的に説明するための一手段に過ぎない。
【００１６】
図１は、本発明の一実施形態による偏光フィルム検査装置を示した図である。
【００１７】
図１を参照すると、偏光フィルム検査装置１００は、光源１０２と、連通部１０４と、光伝達部材１０６と、波長遮断フィルタ１０８と、照射部１１０と、偏光フィルム１１２と、撮影部１１４とを備える。
【００１８】
光源１０２は光を発生させる役割を果たす。光源１０２としては、例えば、メタルハライドランプ（Ｍｅｔａｌ  Ｈａｌｉｄｅ  Ｌａｍｐ）、ＬＥＤランプ（Ｌｉｇｈｔ  Ｅｍｉｔｔｉｎｇ  Ｄｉｏｄｅ  Ｌａｍｐ）などが用いられ得るが、これらに限定されるものではなく、それ以外の様々な光源が用いられ得る。
【００１９】
連通部１０４は、第１の連通部１０４−１及び第２の連通部１０４−２を備える。第１の連通部１０４−１は、光源１０２と光伝達部材１０６との間で光源１０２と光伝達部材１０６とを連通する。第２の連通部１０４−２は、照射部１１０と光伝達部材１０６との間で照射部１１０と光伝達部材１０６とを連通する。
【００２０】
光伝達部材１０６は、光源１０２から発生した光を照射部１１０に伝達する役割を果たす。光伝達部材１０６は、例えば、光ファイバ（Ｏｐｔｉｃａｌ  Ｆｉｂｅｒ）が用いられ得る。この場合、光源１０２から発生した光の損失を減少しつつ迅速に照射部１１０に伝達できるようになる。光伝達部材１０６として光ファイバが用いられる場合、第１の連通部１０４−１及び第２の連通部１０４−２としては光ファイバアダプタ（Ｏｐｔｉｃａｌ  Ｆｉｂｅｒ  Ａｄａｐｔｏｒ）が用いられ得る。しかしながら、光伝達部材１０６は光ファイバに限定されるものではなく、それ以外の光を伝達することができる様々な部材（例えば、光導波管など）が用いられ得る。
【００２１】
波長遮断フィルタ１０８は、光源１０２で発生した光から赤外線（ＩＲ）及び紫外線（ＵＶ）領域を遮断する役割を果たす。波長遮断フィルタ１０８は、第１の波長遮断フィルタ１０８−１及び第２の波長遮断フィルタ１０８−２を備える。第１の波長遮断フィルタ１０８−１は第１の連通部１０４−１に設けられ、第２の波長遮断フィルタ１０８−２は第２の連通部１０４−２に設けられることができる。しかしながら、これに限定されるものではなく、第１の波長遮断フィルタ１０８−１及び第２の波長遮断フィルタ１０８−２が全て、第１の連通部１０４−１又は第２の連通部１０４−２に設けられることもできる。
【００２２】
第１の波長遮断フィルタ１０８−１は、光源１０２で発生した光から赤外線（ＩＲ）領域を遮断するように設けられ、第２の波長遮断フィルタ１０８−２は、光源１０２で発生した光から紫外線（ＵＶ）領域を遮断するように設けられることができる。しかしながら、これらに限定されるものではなく、第１の波長遮断フィルタ１０８−１が光源１０２で発生した光から紫外線（ＵＶ）領域を遮断するように設けられ、第２の波長遮断フィルタ１０８−２が光源１０２で発生した光から赤外線（ＩＲ）領域を遮断するように設けられることもできる。この場合、光源１０２で発生した光の赤外線領域及び紫外線領域は、第１の波長遮断フィルタ１０８−１及び第２の波長遮断フィルタ１０８−２によって遮断されるため、光伝達部材１０６を介して照射部１１０に伝達される光は可視光線領域の光となる。
【００２３】
ここで、波長遮断フィルタ１０８を連通部１０４に設けることで、少ない数（最大２つ）そして小さなサイズの波長遮断フィルタ１０８によって光源１０２で発生した光から赤外線及び紫外線領域を遮断することができるようになり、それによって偏光フィルム検査装置１００の製造コストを削減できるようになる。
【００２４】
照射部１１０は、偏光フィルム１１２に光を照射する役割を果たす。そのとき、照射部１１０は、可視光線領域の光を偏光フィルム１１２に照射することになる。照射部１１０は透明な材質からなり得る。この場合、光伝達部材１０６から伝達された光は照射部１１０を介して偏光フィルム１１２に照射されるようになる。
【００２５】
偏光フィルム１１２は、第１の偏光フィルム１１２−１及び第２の偏光フィルム１１２−２を備える。第１の偏光フィルム１１２−１の透過軸と第２の偏光フィルム１１２−２の透過軸とは相互に直交するように設けられる。例えば、第１の偏光フィルム１１２−１の透過軸が横方向（←→）に設けられた場合、第２の偏光フィルム１１２−２の透過軸は縦方向（↑↓）になるように設けられる。第１の偏光フィルム１１２−１と第２の偏光フィルム１１２−２とは、それぞれ可視光線領域の光を偏光するように設けられる。
【００２６】
撮影部１１４は、照射部１１０の反対方向から偏光フィルム１１２を撮影する。ここで、第１の偏光フィルム１１２−１及び第２の偏光フィルム１１２−２は、それぞれ可視光線領域の光を偏光し、透過軸が相互に直交するように設けられるため、偏光フィルム１１２に照射される光（すなわち、可視光線領域の光）は偏光フィルム１１２を通過することができなくなる。この場合、撮影部１１４は光を受光することができず、偏光フィルム１１２を撮影した映像は黒く表示されるようになる。従って、偏光フィルム１１２を撮影した映像によって偏光フィルム１１２のブラックモードを検査できるようになる。
【００２７】
一方、撮影部１１４の中には赤外線（ＩＲ）遮断フィルタが設けられ得る。例えば、撮影部１１４の中のレンズは、赤外線遮断処理が施された状態で製造され得る。この場合、波長遮断フィルタ１０８は、光源１０２で発生した光から紫外線（ＵＶ）領域を遮断するように具現され得る。
【００２８】
本発明の実施形態によると、波長遮断フィルタ１０８によって光源１０２で発生した光から赤外線及び紫外線領域を遮断することによって、偏光フィルム１１２を撮影した映像が黒く表示されるようにでき、それによって撮影映像を通じて偏光フィルム１１２のブラックモードを検査できるようになる。そのとき、偏光フィルム１１２に欠陥が存在すると、撮影映像にて欠陥が存在する部分に明度差が発生するため、偏光フィルム１１２の欠陥有無を容易に検出できるようになる。
【００２９】
図２は、本発明の一実施形態による偏光フィルム検査装置において、波長遮断フィルタを適用した場合と適用しない場合との撮影映像を比較した図である。
【００３０】
図２を参照すると、波長遮断フィルタ１０８を適用した場合、偏光フィルム１１２を撮影した映像が黒く表示されることが確認される。一方、波長遮断フィルタ１０８を適用しなかった場合、偏光フィルム１１２を撮影した映像が白く表示されることが確認される。
【００３１】
以上、代表的な実施形態を通じて本発明について詳しく説明したが、本発明が属する技術分野における通常の知識を有する者は、上述した実施形態に対して本発明の範疇から逸脱しない範囲内で、様々な変形が可能であることを理解する。従って、本発明の権利範囲は、説明した実施形態に限定して定めてはならず、後述する特許請求の範囲のみならず、この特許請求の範囲と均等なものなどによって定められなければならない。
【符号の説明】
【００３２】
１００：偏光フィルム検査装置
１０２：光源
１０４：連通部
１０４−１：第１の連通部
１０４−２：第２の連通部
１０６：光伝達部材
１０８：波長遮断フィルタ
１０８−１：第１の波長遮断フィルタ
１０８−２：第２の波長遮断フィルタ
１１０：照射部
１１２：偏光フィルム
１１２−１：第１の偏光フィルム
１１２−２：第２の偏光フィルム
１１４：撮影部
【図１】
2014130348.tif 000003
【図２】
2014130348.tif 000004